(57)【要約】【課題】目的の位置に容易に貼着が可能な貼着ピアス用テープを提供する。【解決手段】本発明に係る貼着ピアス用テープ９０は、一旦使用した貼着ピアス８０を再貼着することができる。このため、貼着ピアス８０を繰り返し使用することができる。また、本発明に係る貼着ピアス用テープ９０は、テープ取手部５０ｂを持って貼着ピアス８０の位置決めを行うため、貼着ピアス８０が指に隠れず、貼着ピアス８０を目的の場所に容易に位置させ貼着することができる。また、貼着の際にテープ本体部５０ａの下面粘着材層３２ｂには使用者の指が触れないため、下面粘着材層３２ｂの粘着力が劣化せず、常に強固に貼着ピアス８０の貼着を行うことができる。【選択図】図１
2015221179.tif 000002
【特許請求の範囲】
【請求項１】
粘着材層と装飾体とを有する貼着ピアスを身体に貼着する貼着ピアス用テープであって、
裏面と表面とに粘着材層を有するテープ本体部と、前記テープ本体部から延びたテープ取手部と、前記テープ本体部と前記テープ取手部との結合部に設けられた切り込みと、を有し、
前記テープ本体部の表面側の粘着材層に前記貼着ピアスの粘着材層を貼着した上で、前記テープ取手部を持って前記テープ本体部の裏面側の粘着材層を身体に貼着し、前記テープ本体部との結合部を切断することで、前記貼着ピアスを身体に貼着することを特徴とする貼着ピアス用テープ。
【請求項２】
テープ取手部が裏面側の粘着材層に貼着固定された取手台紙部を有することを特徴とする請求項１記載の貼着ピアス用テープ。
【発明の詳細な説明】
【技術分野】
【０００１】
本発明は、身体に貼着して使用する貼着ピアスの貼着ピアス用テープに関するものである。
【背景技術】
【０００２】
耳たぶや身体の一部にピアス用の孔を穿孔し、この孔に針やリングを挿入して装飾物を保持するピアスが若者を中心に広く普及している。しかしながら、このピアス孔の穿孔は身体的苦痛を伴うとともに、金属アレルギーの要因ともなる。また、小中高等学校等ではピアス孔の穿孔を禁止しているところも多い。これに対し、下記［特許文献１］には、ピアス本体の裏面に接着剤を塗布し、この接着剤によって身体に貼着するピアスに関する考案が開示されている。
【先行技術文献】
【特許文献】
【０００３】
【特許文献１】実開昭６１−９３１１８号公報
【発明の概要】
【発明が解決しようとする課題】
【０００４】
しかしながら、ピアスは入浴や就寝の際に取り外すことが一般的であり、一旦取り外した粘着ピアスは粘着力が劣化するという問題点がある。また、貼着ピアスはピアス孔による位置決めがなされないため、貼着時の位置決めが難しいという問題点がある。特に、貼着ピアスを耳たぶに貼着する場合、比較的小型な貼着ピアスを指で摘み、鏡で位置を確認しながら貼着する必要があり、ある程度の熟練を要する。
【０００５】
本発明は上記事情に鑑みてなされたものであり、目的の位置に容易に貼着が可能な貼着ピアス用テープを提供することを目的とする。
【課題を解決するための手段】
【０００６】
本発明は、
（１）粘着材層３２と装飾体４０とを有する貼着ピアスを身体に貼着する貼着ピアス用テープであって、
裏面と表面とに粘着材層（上面粘着材層３２ａ、下面粘着材層３２ｂ）を有するテープ本体部と、前記テープ本体部５０ａから延びたテープ取手部５０ｂと、前記テープ本体部５０ａと前記テープ取手部５０ｂとの結合部に設けられた切り込み３４と、を有し、
前記テープ本体部５０ａの表面側の粘着材層（上面粘着材層３２ａ）に前記貼着ピアスの粘着材層３２を貼着した上で、前記テープ取手部５０ｂを持って前記テープ本体部５０ａの裏面側の粘着材層（下面粘着材層３２ｂ）を身体に貼着し、前記テープ本体部５０ａとの結合部を切断することで、前記貼着ピアスを身体に貼着することを特徴とする貼着ピアス用テープ９０を提供することにより、上記課題を解決する。
（２）テープ取手部５０ｂが裏面側の粘着材層（下面粘着材層３２ｂ）に貼着固定された取手台紙部５５を有することを特徴とする上記（１）記載の貼着ピアス用テープ９０を提供することにより、上記課題を解決する。
【発明の効果】
【０００７】
本発明に係る貼着ピアス用テープは、テープ取手部を持って貼着ピアスの位置決めを行うため、貼着ピアスが指に隠れず、貼着ピアスを目的の位置に容易に貼着することができる。また、身体に貼着する粘着材層に指が触れないため、粘着材層の粘着力の低下を防止することができる。
【図面の簡単な説明】
【０００８】
【図１】本発明に係る貼着ピアス用テープを示す図である。
【図２】本発明に好適な貼着ピアスを示す図である。
【図３】本発明に好適な貼着ピアスの貼着方法を説明する図である。
【図４】本発明に好適な貼着ピアスの貼着方法を説明する図である。
【図５】本発明に係る貼着ピアス用テープの使用方法を説明する図である。
【図６】本発明に係る貼着ピアス用テープの使用方法を説明する図である。
【発明を実施するための形態】
【０００９】
本発明に係る貼着ピアス用テープ９０の実施の形態について図面に基づいて説明する。ここで、図１（ａ）は本発明に係る貼着ピアス用テープ９０の上面図である。また、図１（ｂ）は貼着ピアス用テープ９０の層構成を示す模式的な側面図である。
【００１０】
図１に示す貼着ピアス用テープ９０は、貼着ピアス８０を貼着するためのものであり、両面に粘着材層（上面粘着材層３２ａ、下面粘着材層３２ｂ）を備えたテープ本体部５０ａと、テープ本体部５０ａから延びたテープ取手部５０ｂと、を有している。そして、このテープ本体部５０ａとテープ取手部５０ｂとの結合部には切り込み３４が設けられ、この切り込み３４によって結合部分５６が形成される。この結合部分５６の長さは、テープ本体部５０ａを保持することが可能で且つ切断が容易な長さとすることが好ましい。尚、切り込み３４は結合部分５６の両側からテープ本体部５０ａに沿って形成することが好ましい。この構成によれば、結合部分５６を両方向から切断することが可能なため、使用者の利き腕等によらず結合部分５６の切断を容易に行うことができる。
【００１１】
また、テープ取手部５０ｂは、テープ本体部５０ａと一体的に成型され上面粘着材層３２ａ、下面粘着材層３２ｂを有する連結部５０ｃと、この連結部５０ｃの下面粘着材層３２ｂに貼着固定された取手台紙部５５と、を有している。
【００１２】
テープ本体部５０ａ及び連結部５０ｃは、ポリエステル等の周知の合成樹脂を用いることが好ましく、その厚さは５μｍ〜１０μｍ程度とすることが好ましい。また、上面粘着材層３２ａ、下面粘着材層３２ｂとしては、人体の皮膚に貼着しても安全なアクリル系の粘着剤を用いることが好ましい。
【００１３】
テープ本体部５０ａは汎用的な例えば円形形状とし、多種多様な貼着ピアス８０に使用可能とすることが好ましい。この構成によれば、使用者は１種類の貼着ピアス用テープ９０を複数種類の貼着ピアス８０の再貼着等に使用することができる。尚、貼着ピアス用テープ９０と後述の貼着ピアス８０とをセットで販売する場合には、テープ本体部５０ａを貼着ピアス８０の貼着部３０ａと略同等の形状及び大きさとし、身体に貼着したときにテープ本体部５０ａが目立たぬようにすることが好ましい。
【００１４】
また、貼着ピアス用テープ９０は下面粘着材層３２ｂに剥離紙３８が仮貼着して担持される。このとき、取手台紙部５５は剥離紙３８に仮貼着せず、剥離紙３８から浮いた状態となる。よって、使用者は貼着ピアス用テープ９０の使用時にテープ取手部５０ｂを容易に摘まむことができる。この剥離紙３８は一面が離形処理された紙もしくは合成樹脂フィルム等の周知の剥離紙を用いることができる。中でも特に、厚み５０μｍ〜１００μｍ程度のＰＥＴフィルムを用いることが好ましい。尚、ここでは剥離紙３８に貼着ピアス用テープ９０を１枚担持した例を図示しているが、複数枚の貼着ピアス用テープ９０を一枚の剥離紙３８に担持して構成することが好ましい。また、貼着ピアス８０と複数枚の貼着ピアス用テープ９０とを一枚の剥離紙３８に担持して、貼着ピアス８０と貼着ピアス用テープ９０とをセットにすることが特に好ましい。
【００１５】
また、貼着ピアス用テープ９０の表面側の上面粘着材層３２ａにはカバーフィルム５４が剥離可能に貼着し、保管時における上面粘着材層３２ａの粘着力の劣化を防止する。尚、カバーフィルム５４も一面がシリコン等で離形処理された紙もしくは合成樹脂フィルム等の周知の剥離紙を用いることができる。
【００１６】
次に、本発明に係る貼着ピアス用テープ９０に好適な貼着ピアス８０について説明する。ここで、図２（ａ）は本発明に好適な貼着ピアス８０の上面図である。また、図２（ｂ）は貼着ピアス８０の層構成を示す模式的な側面図である。
【００１７】
図２に示す本発明に好適な貼着ピアス８０は、裏面に粘着材層３２を有する貼着部３０ａと、貼着部３０ａの表面側に周知の接着剤によって接着された装飾体４０と、貼着部３０ａから延びた取手部３０ｂと、を有している。また、取手部３０ｂは、貼着部３０ａと一体的に成型され一面側に粘着材層３２を有する連結部３０ｃと、この連結部３０ｃの粘着材層３２に貼着固定された取手台紙部３１と、を有している。
【００１８】
尚、この貼着ピアス８０の貼着部３０ａと連結部３０ｃとは、一面側に粘着材層３２を有するフィルム部材（本体フィルム部３０）により一体的に形成することが好ましい。この本体フィルム部３０としては、ＰＥＴ（ポリエチレンテレフタレート）等の周知の合成樹脂フィルムを用いることができ、その厚みは０．１ｍｍ〜０．１５ｍｍ程度とすることが好ましい。また、粘着材層３２としては、貼着ピアス用テープ９０の粘着材層と同様、人体の皮膚に貼着しても安全なアクリル系の粘着剤を用いることが好ましい。そして、この貼着部３０ａと取手部３０ｂとの結合部には切り込み３４が設けられ、この切り込み３４によって結合部分３６が形成される。この結合部分３６の長さは、貼着部３０ａの保持が可能で且つ切断が容易な長さとすることが好ましい。また、切り込み３４は結合部分３６の両側から貼着部３０ａに沿って形成することが好ましい。この構成によれば、貼着ピアス用テープ９０と同様、結合部分３６を両方向から切断することが可能なため、使用者の利き腕等によらず結合部分３６の切断を容易に行うことができる。
【００１９】
そして、貼着ピアス８０は粘着材層３２が剥離紙３８に仮貼着されて担持される。このとき、取手台紙部３１は剥離紙３８に仮貼着せず、剥離紙３８から浮いた状態となる。よって、使用者は貼着ピアス８０の取手部３０ｂを容易に摘まむことができる。この剥離紙３８も貼着ピアス用テープ９０と同様、一面が離形処理された紙もしくは合成樹脂フィルム等の周知の剥離紙を用いることができる。
【００２０】
装飾体４０は、合成樹脂、天然石、ガラス、人工宝石、セラミクス、金属等を所定の形状に加工したものであり、形状、材質、大きさ等に特に限定はない。また、装飾体４０は複数の部材で構成しても良いし、貼着部３０ａに接着した固定部から吊下げるようにしても良い。
【００２１】
また、貼着ピアス８０の貼着部３０ａ及び取手部３０ｂの形状にも特に限定はなく、如何なる形状としても良い。ただし、装飾体４０を接着する貼着部３０ａは、装飾体４０の接着面と略同等もしくはそれよりも小さな形状として、身体に貼着したときに貼着部３０ａが目立たぬようにすることが好ましい。また、貼着部３０ａの形状は汎用性の高い円形とし、複数種類の装飾体４０に対応可能とすることが好ましい。この構成によれば、１種類の本体フィルム部３０を複数種類の装飾体４０に適用することが可能となり、貼着ピアス８０の製造を効率良く行うことができる。
【００２２】
次に、貼着ピアス用テープ９０の使用方法を説明する。先ず、本発明に好適な貼着ピアス８０の貼着方法を説明する。貼着ピアス８０の貼着に際しては、先ず、図３（ａ）に示すように、使用者が貼着ピアス８０の取手部３０ｂを指で摘まみ剥離紙３８から剥離する。このとき、取手部３０ｂの取手台紙部３１は剥離紙３８に貼着していないため、使用者は容易に取手部３０ｂを摘まみ貼着ピアス８０を剥離することができる。これにより、貼着ピアス８０の粘着材層３２が剥離紙３８の離形面から剥離する。このとき、貼着部３０ａ側の粘着材層３２には使用者の指が触れないため、この部分の粘着材層３２に粘着力の低下が生じることはない。また、取手部３０ｂには取手台紙部３１が貼着しているため、使用者の指に粘着材層３２が貼着することはない。
【００２３】
次に、図３（ｂ）に示すように、貼着ピアス８０の貼着部３０ａを使用者の身体の目的の場所に位置させる。尚、ここでは貼着ピアス８０を身体の耳たぶに貼着する例を示す。このとき、使用者は取手部３０ｂを摘まんで装飾体４０を保持するため、装飾体４０が指に隠れることがない。このため、例えば使用者が鏡を見ながら装飾体４０の位置決めを行う場合でも、装飾体４０（貼着部３０ａ）を目的の場所に容易に位置させることができる。
【００２４】
次に、図３（ｃ）に示すように、装飾体４０を目的の場所に保持した状態で、装飾体４０を他方の手指で押圧する。これにより、貼着部３０ａの粘着材層３２が使用者の目的の位置に貼着する。
【００２５】
次に、図４（ａ）に示すように、この押圧状態を維持したまま結合部分３６を切断し、取手部３０ｂを貼着部３０ａから切り離す。このとき、結合部には切り込み３４が形成されているため、結合部分３６を容易に切断することができる。これにより、図４（ｂ）に示すように、使用者の目的の位置に貼着部３０ａ（装飾体４０）が貼着する。
【００２６】
次に、貼着ピアス用テープ９０の使用方法を説明する。尚、ここでは、本発明に好適な貼着ピアス８０を再貼着する例を用いて説明を行う。ただし、本発明に係る貼着ピアス用テープ９０の使用方法はこれに限定されるわけではなく、他の貼着ピアスの貼着に用いても良い。
【００２７】
貼着ピアス用テープ９０の使用に際しては、先ず、貼着ピアス用テープ９０のカバーフィルム５４を剥離する。これにより、図５（ａ）に示すように、貼着ピアス用テープ９０の上面粘着材層３２ａが露出する。次に、図５（ｂ）に示すように、テープ本体部５０ａの上面粘着材層３２ａに、貼着ピアス８０の装飾体４０を貼着部３０ａごと貼着する。ここで、貼着部３０ａの裏面には粘着材層３２が存在するから、粘着材層３２と上面粘着材層３２ａとは相互に粘着し、これにより貼着ピアス８０と貼着ピアス用テープ９０とは比較的強固に貼着する。
【００２８】
次に、図５（ｃ）に示すように、テープ取手部５０ｂを指で摘まみ、貼着ピアス用テープ９０を貼着ピアス８０ごと剥離紙３８から剥離する。このとき、テープ取手部５０ｂの取手台紙部５５は剥離紙３８に貼着していないため、使用者は容易にテープ取手部５０ｂを摘まみ貼着ピアス用テープ９０を剥離することができる。また、取手台紙部５５はある程度の厚みを有しているため、貼着ピアス用テープ９０が剥離した状態でもテープ本体部５０ａを保持することができる。これにより、貼着ピアス用テープ９０の下面粘着材層３２ｂが剥離紙３８の離形面から剥離する。このとき、テープ本体部５０ａの下面粘着材層３２ｂには使用者の指が触れないため、この部分の下面粘着材層３２ｂに粘着力の低下が生じることはない。また、テープ取手部５０ｂには取手台紙部５５が貼着しているため、使用者の指に上面粘着材層３２ａ、下面粘着材層３２ｂが貼着することはない。
【００２９】
次に、図５（ｄ）に示すように、貼着ピアス８０を貼着ピアス用テープ９０ごと使用者の身体の目的の場所に位置させる。このとき、使用者はテープ取手部５０ｂを摘まんで貼着ピアス８０を保持するため、装飾体４０が指に隠れることがない。このため、例えば使用者が鏡を見ながら装飾体４０の位置決めを行う場合でも、装飾体４０（貼着ピアス８０）を目的の場所に容易に位置させることができる。
【００３０】
次に、図６（ａ）に示すように、貼着ピアス８０を目的の場所に保持した状態で、装飾体４０を他方の手指で押圧する。これにより、テープ本体部５０ａの下面粘着材層３２ｂが使用者の目的の位置に貼着する。
【００３１】
次に、図６（ｂ）に示すように、この押圧状態を維持したまま結合部分５６を切断し、テープ取手部５０ｂをテープ本体部５０ａから切り離す。このとき、結合部には切り込み３４が形成されているため、結合部分５６を容易に切断することができる。これにより、図６（ｃ）に示すように、貼着ピアス８０の装飾体４０が貼着ピアス用テープ９０のテープ本体部５０ａを介して使用者の身体の所定の位置に再貼着される。
【００３２】
以上のように、本発明に係る貼着ピアス用テープ９０は、一旦使用した貼着ピアス８０を再貼着することができる。このため、貼着ピアス８０を繰り返し使用することができる。また、例えばネイル用のストーンやその他の装飾物を貼着ピアス８０として貼着することができる。
【００３３】
また、本発明に係る貼着ピアス用テープ９０は、テープ取手部５０ｂを持って貼着ピアス８０の位置決めを行うため、貼着ピアス８０が指に隠れず、貼着ピアス８０を目的の場所に容易に位置させ貼着することができる。また、貼着の際にテープ本体部５０ａの下面粘着材層３２ｂには使用者の指が触れないため、下面粘着材層３２ｂの粘着力が劣化せず、常に強固に貼着ピアス８０の貼着を行うことができる。
【００３４】
尚、本例で示した貼着ピアス用テープ９０の各部の形状、寸法、層構成、材質等は一例であり、本発明は本発明の要旨を逸脱しない範囲で変更して実施することが可能である。
【符号の説明】
【００３５】
３２    粘着材層
３２ａ  上面粘着材層
３２ｂ  下面粘着材層
３４    切り込み
４０    装飾体
５０ａ  テープ本体部
５０ｂ  テープ取手部
５５    取手台紙部
８０    貼着ピアス
９０    貼着ピアス用テープ
【図１】
2015221179.tif 000003
【図２】
2015221179.tif 000004
【図３】
2015221179.tif 000005
【図４】
2015221179.tif 000006
【図５】
2015221179.tif 000007
【図６】
2015221179.tif 000008
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
粘着材層と装飾体とを有する一旦使用した貼着ピアスを、身体に再貼着するための貼着ピアス用テープであって、
裏面と表面とに粘着材層を有し円形形状のテープ本体部と、前記テープ本体部から延び使用者が持って前記貼着ピアスの位置決めを行うためのテープ取手部と、前記テープ本体部と前記テープ取手部との結合部に前記テープ本体部に沿って両側から設けられた切り込みと、を有し、
前記テープ本体部の表面側の粘着材層に前記貼着ピアスの粘着材層を貼着した上で、前記テープ取手部を持って前記テープ本体部の裏面側の粘着材層を身体に貼着し、前記テープ本体部との結合部を切断することで、前記貼着ピアスを身体に貼着することを特徴とする貼着ピアス用テープ。
【請求項２】
テープ取手部が裏面側の粘着材層に貼着固定された取手台紙部を有することを特徴とする請求項１記載の貼着ピアス用テープ。
【手続補正２】
【補正対象書類名】明細書
【補正対象項目名】０００５
【補正方法】変更
【補正の内容】
【０００５】
本発明は上記事情に鑑みてなされたものであり、一旦使用した貼着ピアスを目的の位置に容易に貼着することが可能な貼着ピアス用テープを提供することを目的とする。
【手続補正３】
【補正対象書類名】明細書
【補正対象項目名】０００６
【補正方法】変更
【補正の内容】
【０００６】
本発明は、
（１）粘着材層３２と装飾体４０とを有する一旦使用した貼着ピアスを、身体に再貼着するための貼着ピアス用テープであって、
裏面と表面とに粘着材層（上面粘着材層３２ａ、下面粘着材層３２ｂ）を有し円形形状のテープ本体部５０ａと、前記テープ本体部５０ａから延び使用者が持って前記貼着ピアスの位置決めを行うためのテープ取手部５０ｂと、前記テープ本体部５０ａと前記テープ取手部５０ｂとの結合部に前記テープ本体部５０ａに沿って両側から設けられた切り込み３４と、を有し、
前記テープ本体部５０ａの表面側の粘着材層（上面粘着材層３２ａ）に前記貼着ピアスの粘着材層３２を貼着した上で、前記テープ取手部５０ｂを持って前記テープ本体部５０ａの裏面側の粘着材層（下面粘着材層３２ｂ）を身体に貼着し、前記テープ本体部５０ａとの結合部を切断することで、前記貼着ピアスを身体に貼着することを特徴とする貼着ピアス用テープ９０を提供することにより、上記課題を解決する。
（２）テープ取手部５０ｂが裏面側の粘着材層（下面粘着材層３２ｂ）に貼着固定された取手台紙部５５を有することを特徴とする上記（１）記載の貼着ピアス用テープ９０を提供することにより、上記課題を解決する。
【手続補正４】
【補正対象書類名】明細書
【補正対象項目名】０００７
【補正方法】変更
【補正の内容】
【０００７】
本発明に係る貼着ピアス用テープは、テープ取手部を持って一旦使用した貼着ピアスの位置決めを行うため、貼着ピアスが指に隠れず、貼着ピアスを目的の位置に容易に貼着することができる。また、身体に貼着する粘着材層に指が触れないため、粘着材層の粘着力の低下を防止することができる。
【手続補正５】
【補正対象書類名】明細書
【補正対象項目名】００１０
【補正方法】変更
【補正の内容】
【００１０】
図１に示す貼着ピアス用テープ９０は、貼着ピアス８０を貼着するためのものであり、両面に粘着材層（上面粘着材層３２ａ、下面粘着材層３２ｂ）を備えたテープ本体部５０ａと、テープ本体部５０ａから延びたテープ取手部５０ｂと、を有している。そして、このテープ本体部５０ａとテープ取手部５０ｂとの結合部には切り込み３４が設けられ、この切り込み３４によって結合部分５６が形成される。この結合部分５６の長さは、テープ本体部５０ａを保持することが可能で且つ切断が容易な長さとすることが好ましい。尚、切り込み３４は結合部分５６の両側からテープ本体部５０ａに沿って形成する。この構成によれば、結合部分５６を両方向から切断することが可能なため、使用者の利き腕等によらず結合部分５６の切断を容易に行うことができる。
【手続補正６】
【補正対象書類名】明細書
【補正対象項目名】００１３
【補正方法】変更
【補正の内容】
【００１３】
テープ本体部５０ａは汎用的な円形形状とし、多種多様な貼着ピアス８０に使用可能とすることが好ましい。この構成によれば、使用者は１種類の貼着ピアス用テープ９０を複数種類の貼着ピアス８０の再貼着等に使用することができる。尚、貼着ピアス用テープ９０と後述の貼着ピアス８０とをセットで販売する場合には、テープ本体部５０ａを貼着ピアス８０の貼着部３０ａと略同等の形状及び大きさとし、身体に貼着したときにテープ本体部５０ａが目立たぬようにすることが好ましい。